(57)【要約】【課題】一対のハンドルの各握持部を握持した際の握持感を向上させた釣り用容器を提供することを目的とする。【解決手段】本発明は、一対のハンドル３を有する釣り用容器において、一方のハンドルに、他方のハンドルが嵌合可能な凹部を有する握持部１０を設け、この握持部１０の下面を周方向に凸状の湾曲面で形成したことを特徴とする。【選択図】    図１
2004305208.tif 000002
【特許請求の範囲】
【請求項１】
一対のハンドルを有する釣り用容器において、
一方のハンドルに、他方のハンドルが嵌合可能な凹部を有する握持部を設け、この握持部の下面を周方向に凸状の湾曲面で形成したことを特徴とする釣り用容器。
【請求項２】
前記凹部は、握持部の長手方向に沿って設けられ、上面側に開口していることを特徴とする請求項１に記載の釣り用容器。
【請求項３】
前記握持部部は、一方のハンドルに着脱可能に嵌合していることを特徴とする請求項１又は２に記載の釣り用容器。
【請求項４】
一対のハンドルを有する釣り用バケツにおいて、
一方のハンドルと他方のハンドルを一体化する握持部を、少なくとも一方のハンドルに設け、前記握持部の下面側に、その握持部の境界を露出させないことを特徴とする釣り用容器。
【請求項５】
前記握持部の下面を周方向に凸状の湾曲面で形成したことを特徴とする請求項４に記載の釣り用容器。
【請求項６】
一対のハンドルを有する釣り用容器の一方のハンドルに装着可能であると共に他方のハンドルが嵌合可能な凹部を有し、ハンドルに装着された状態で、下面側が周方向に凸状の湾曲面となるように形成されたことを特徴とする釣り用容器のハンドルに装着される握持部材。
【請求項７】
一対のハンドルを有する釣り用容器の一方のハンドルに装着可能であると共に他方のハンドルが嵌合可能な凹部を有し、ハンドルに装着された状態で、下面側に境界を露出させないことを特徴とする釣り用容器のハンドルに装着される握持部材。
【発明の詳細な説明】
【技術分野】
【０００１】
本発明は、釣りに際して用いられる釣り用容器、及びそのような釣り用容器のハンドルに装着される握持部材に関する。なお、ここでの釣り用容器には、釣りに際して携行される各種の用具を入れるのに用いられる、いわゆる釣り用バックや、魚や餌などを入れるのに用いられる、いわゆる釣り用バケツが含まれる。
【背景技術】
【０００２】
従来の釣り用容器は、主に釣り道具入れ、撒き餌入れ、水汲みバケツ、魚入れとして使用されており、釣り場において、足元に置かれることが多く、合成樹脂等の防水性を有する材料で形成されている。  
これらの釣り用容器は、一般に上方に開口を有する容器本体を有し、場合によって、上記開口を閉塞する蓋体が設けられている。
【０００３】
また、釣り場の移動時に、すぐに持ち上げられるように、容器本体に柔軟性を有する材料からなる一対のハンドルを設けているものが多く、通常、釣り用容器を持ち歩くときは、一対のハンドルの各握持部を合わせて一度に握り込んでいる。
【０００４】
このような釣り用容器において、例えば、特許文献１に開示されているように、一対のハンドルの各握持部を合わせて一度に握り込む際、握り込んだ握持部同士が滑らないようにした構成の釣り用バケツが知られている。この釣り用バケツは、一対のハンドルの各握持部に、夫々突部と段部を設け、一対のハンドル同士を当接した際に、突部と段部を嵌合させ、握持部同士が滑ることが無いように構成している。
【特許文献１】特開平１１−１２３０４３号公報
【発明の開示】
【発明が解決しようとする課題】
【０００５】
しかし、上記した公知の釣り用バケツは、一対のハンドルの握持部同士を当接させたときに、その当接させた握持部間の下方側が凹状になってしまい、握持する手のひらの湾曲形状と合致しないため、握り感が悪く、手が痛くなってしまうことがある。また、両握持部を一体化したとき、その下面側に境界部分が露出し、このような境界によっても握り感が悪くなってしまう。
【０００６】
すなわち、従来の釣り用容器は、公知技術に見られるように、そのハンドルの握持部形状に関し、両方のハンドルの握持部同士を合わせたときの握り易さについては何等考慮されておらず、このため、釣り用容器を持ち歩くときはハンドルの握持感が悪く、収納物が重く感じたり、長い時間持ち歩くと、荷重がかかる手のひらが痛くなってしまうことがある。
【０００７】
本発明は、上記した問題に基づいてなされたものであり、一対のハンドルの各握持部を握持した際の握持感を向上させた釣り用容器を提供することを目的とする。また、本発明は、釣り用容器のハンドルに装着可能であり、かつ釣り用容器を持ち上げた際の握持感の向上が図れる握持部材を提供することを目的とする。
【課題を解決するための手段】
【０００８】
上記した課題を解決するために、本発明は、一対のハンドルを有する釣り用容器において、一方のハンドルに、他方のハンドルが嵌合可能な凹部を有する握持部を設け、この握持部の下面を周方向に凸状の湾曲面で形成したことを特徴とする。
【０００９】
上記した構成では、釣り用容器を持ち運ぶ際、両方のハンドルを合わせると共に、一方のハンドルに設けられた握持部の嵌合部に他方のハンドルを嵌入させる。このとき、両ハンドルは、握持部によって合わせられた状態となり、かつ握持部の下面は、周方向に凸状の湾曲面となっていることから、握り込んだ際の握持感が向上する。
【００１０】
また、上記した課題を解決するために、本発明は、一対のハンドルを有する釣り用容器において、一方のハンドルと他方のハンドルを一体化する握持部を、少なくとも一方のハンドルに設け、前記握持部の下面側に、その握持部の境界を露出させないことを特徴とする。
【００１１】
上記した構成では、釣り用容器を持ち運ぶ際、両方のハンドルを合わせるに当たって、一方のハンドルに設けられた握持部に、他方のハンドルを嵌入したり係止させること等により、両ハンドルを一体化させるか、もしくは、両方のハンドルに設けられている握持部を一体化することで両ハンドルを一体化させる。この場合、握持部の下面側、すなわち、手のひらに重量がかかる側には、境界（例えば、一方のハンドルに設けられた握持部に他方のハンドルを嵌入させるために形成された開口によるエッジ部分や、両方のハンドルに設けられた握持部を一体化した際の両者の接合部）が露出しないことから、握り込んだ際に線当たりするようなことが無く、握持感が向上する。
【００１２】
なお、上記した握持部は、釣り用容器のハンドルに対して、別途、装着できるように着脱可能に構成されていても良い。すなわち、握持部材として、釣り用容器とは、別体で販売等されるものであっても良い。また、上記した構成において、「嵌合」や「嵌入」には、両者を隙間無く嵌め合う構造に加え、単に、凹部内に他方の部材を収めるような構造も含まれる。
【発明の効果】
【００１３】
上記した構成の釣り用容器、及び握持部材によれば、一対のハンドルを握持部（握持部材）で容易にひとまとめにして、釣り用容器をすぐに持ち上げることができ、しかも、握持感が良く、手が痛くなることがない。
【発明を実施するための最良の形態】
【００１４】
図１〜図５は、本発明の第１の実施形態を示す図であり、図１は、釣り用容器の全体構成を示す斜視図、図２は、一対のハンドルを合わせた状態を示す釣り用容器の斜視図、図３は、握持部の中央部分における釣り用容器の断面図、図４は、握持部の構成を示す斜視図、そして、図５は、握持部の拡大断面図である。
【００１５】
釣り用容器１は、合成樹脂製の上方に開口を有する容器本体２と、この容器本体２の前面及び後面に設けられた一対のハンドル３とを有している。容器本体２は、箱型に形成され、必要に応じて上方の開口を閉塞する蓋体５がヒンジ６を介して取り付けられており、蓋体の周辺はチャック７で開口周縁に沿って開閉自在に止着できるように構成されている。この場合、容器本体２の大きさ、形状等については適宜変形することが可能であり、また、容器本体２が保冷機能を有するような構造であっても良い。
【００１６】
前記一対のハンドル３は、それぞれ、ゴム系、合成樹脂系等、柔軟性を有する材料でＵ字状に形成されており、縦片３ａと横片３ｂによって構成されている。そして、容器本体２の前面及び後面において、各ハンドルの縦片の端部が回動自在に取り付けられ（軸着）、図１に示すように、Ｕ字状の上下を反転させた状態で向かい合わせて立ち上げられるようになっている。また、各ハンドルは、その両端を回動させて垂下状にすることもでき、更には、図２に示すように、変形させてハンドル同士（横片同士）を容器本体の上方で当接させることが可能となっている。
【００１７】
一対のハンドルの内、一方のハンドルの横片には、握持部１０が設けられている。この場合、握持部１０は、上記した材料によってハンドルと共に一体成形することで形成されており、横片３ｂの軸方向に沿って延出するように、所定の肉厚をもって形成されている。また、握持部１０は、握持して釣り用容器を持ち運ぶ時にわずかにたわむ程度の柔軟性を有し、握持部１０の下面側は、周方向に凸状の湾曲面１０ａで一連に形成され、握持したときに手のひらが当たっても痛くないように形成されている。すなわち、本実施形態の握持部の湾曲面１０ａは、従来のハンドルでは一対の握持部を合わせると下面側に境界が形成されてＷ状に窪んでしまうのに対し、下面側において、そのような窪みを形成する境界部分を有しておらず、略面一状に形成されている。
【００１８】
前記握持部１０は、一方のハンドルの横片３ｂの軸線とずらして長手方向に延出し、他方のハンドルの横片が嵌合する凹部１０ｂを有しており、この凹部１０ｂは、この凹部の幅より狭く、軸方向に延出する開口１０ｃによって、握持部上面側に開口している。
【００１９】
このように構成された釣り用容器を持ち運ぶときには、握持部が形成されていないハンドルの横片を開口１０ｃに当て付け、押圧するか、又は握持部を持ち上げて横片を凹部１０ｂ内に落とし込ませるようにすることで、握持部の凹部１０ｂの開口１０ｃをその材料の弾性に抗して押し広げ、横片を凹部内に嵌合させる。この場合、凹部１０ｂは、他方のハンドルの横片が入り込んだ際、その断面形状と合致するような形状に形成しておくことが好ましく、このように構成することで、他方のハンドルの横片を嵌合した際、遊び無く保持することが可能となる。さらに、凹部１０ｂをその材料の弾性に抗して押し広げて凹部１０ｂに他方のハンドルの横片が入り込むため、釣り用容器を持ち運ぶときに両者のずれが寄り防止される。この時、両者または一方の表面を粗面にしたり、凹凸を形成するとさらにずれ防止の効果が向上する。そして、この状態で、他方のハンドルの横片は、握持部１０の両端部の孔から突出する。
【００２０】
なお、一方のハンドルの握持部の凹部１０ｂに他方のハンドルを嵌合させる場合、両者の関係は、図５に示すように、隙間無く嵌まり合うもの以外にも、単に凹部１０ｂ内に他方のハンドルが収まるような構成であっても良い。このようにすると、より早く一対のハンドルを握持部でひとまとめにして釣り用容器をすぐに持ち上げることができ、釣り場の移動等を一層早く行なうことができる。
【００２１】
上記した開口１０ｃは、図５に示すように、ハンドルの横片３ｂよりも幅狭に形成することで、ハンドルの脱落を防止するが、その開口幅をハンドルの横片と同じか、又はこれより広く形成することで、ハンドルの横片の嵌合が容易になり、すぐに握持することができるようになる。すなわち、開口１０ｃは、ハンドルの横片３ｂよりも幅狭に形成されていなくても良い。例えば、開口１０ｃは、外側に向かって徐々に広がるように形成することで、ハンドルの横片を開口１０ｃ内へ誘導し易くし、嵌合が容易になる。さらに、開口１０ｃは、握持部１０の上面側に設けることが好ましく、このように上面側に設けることで、握持したときに荷重がかかる手のひらが開口によるエッジ部分に当たらずに握り易くなり、かつハンドルを脱落し難くすることができる。この場合、握持部の下面側が、上記したように、周方向に凸状の湾曲面で形成されていれば、開口１０ｃは下面側に形成されていても差し支えない。
【００２２】
なお、上述した記載において、握持部１０の「上面側」、「下面側」とは、図５に示すように、両ハンドルを握持部で合わせた状態で、中央水平線に対して上半分側Ａが上面側、下半分側Ｂが下面側で定義される。
【００２３】
また、上記したような湾曲面１０ａは、握り込んだ際の握持感が良好な構成であれば良く、例えば、図６の第１変形例に示すように、滑り止め程度の凹凸１１を有する構成、又は軸方向に沿って連続する凹凸（握り込んだ際、指の付け根部分の腹部に密着して滑り止め機能を発揮する凹凸）を有する構成等も含まれる。また、湾曲面１０ａには、全体として面一に形成されたもの以外に、例えば、図７の第２変形例に示すように、複数の直線部１１ａ〜１１ｃによって湾曲状の面を形成したものも含まれる。
【００２４】
図８は、上記した握持部の第３変形例を示す断面図である。  
上記した実施形態では、握持部１０は、ハンドル３を形成する際に一体成形することで形成されていたが、図８に示すように、一方のハンドル３の横片３ｂに対して、別の材料を二重成形することで肉盛りするように形成しても良い。
【００２５】
図９〜図１３は、本発明の第２の実施形態を示す図であり、図９は、釣り用容器の全体構成を示す斜視図、図１０は、一対のハンドルを合わせた状態を示す釣り用容器の斜視図、図１１は、握持部材を装着した際の中央部分における釣り用容器の断面図、図１２は、握持部材の構成を示す斜視図、そして、図１３は、握持部材の拡大断面図である。
【００２６】
この実施形態では、上記したような握持部１０と同様な作用を有する握持部材２０を、ハンドル部分に対して着脱可能に構成したものである。  
握持部材２０は、ゴム系、合成樹脂系等、柔軟性を有する材料で一体成形されており、一方のハンドル３の横片が嵌合できるように、軸方向に延出する第１凹部２１と、この第１凹部２１に隣接し、他方のハンドルの横片が嵌入できるように軸方向に延出する第２凹部２２を備えている。各凹部２１，２２は、それぞれ軸方向に延出すると共に、上面側において開口２１ａ，２２ａによって開口しており、凹部２１，２２の幅は、開口２１ａ，２２ａの幅より広く、対応するハンドルの横片をこれら開口に当て付け、押圧することで、各開口をその材料の弾性に抗して押し広げ、横片を凹部内に嵌合させるようになっている。
【００２７】
また、握持部材２０の下面側は、上記した実施形態と同様、周方向に凸状の湾曲面２０ａで一連に形成され、握持したときに手のひらが当たっても痛くないように形成されている。
【００２８】
上記した構成において、一方のハンドルを差し込む側の凹部（図において凹部２１側）の開口２１ａは、他方のハンドルを差し込む開口２２ａよりも幅狭にすることが好ましく、このように構成することで、一方のハンドルを外れ難くし、他方のハンドルを着脱容易にすることができる。すなわち、このように構成することで、凹部２１側には、常時、一方のハンドルの横片を外れ難い状態で嵌入させておき、状況に応じて、凹部２２側に他方のハンドルを容易に嵌入させることが可能となる。
【００２９】
また、このような構成の握持部材２０によれば、従来の釣り用容器のハンドル部分にも、別途、装着することが可能となる。
【００３０】
なお、本実施形態においても、開口２１ａ，２２ａの形成位置、凹部２１，２２に対する各開口２１ａ，２２ａの幅、並びに凹部２１，２２の大きさ等については、適宜変形することが可能である。また、握持部材の下面側は、図６及び図７に示すように形成されていても良い。
【００３１】
上記した実施形態では、いずれも握持部１０、或いは握持部材２０は、釣り用容器の一対のハンドルの内、いずれか一方に装着され、これに対して他方のハンドルの横片を嵌合させるように構成されていたが、例えば、図１４及び図１５に示す第３の実施形態、及びその変形例のように、両ハンドルの各横片に、両ハンドルを結合する際に一体化される握持部３０，３１を設けた構成であっても良い。
【００３２】
図１４に示す実施形態は、両握持部３０，３１を一体化した際、略球形状となるように、夫々のハンドルに半球状の握持部３０，３１を設けると共に、各握持部３０，３１の水平方向における接合平坦面に、互いに押圧して嵌め込まれるように凹部３０ａと凸部３１ａを形成したものである。また、図１５に示す変形例は、両握持部を一体化した際、略球形状となるように、夫々のハンドルに半球状の握持部３０，３１を設けると共に、各握持部に、係止突部３０ｂ，嵌入凹部３０ｃ、及び係止突部３１ｂ，嵌入凹部３１ｃを形成し、各係止突部３０ｂ，３１ｂを、相手側の嵌入凹部３０ｃ，３１ｃに嵌入して係止させるようにしたものである。
【００３３】
いずれの構成例も、一体化した際の握持部の下面側には、境界部分が露出しないように構成されており、かつ下面は、周方向に凸状となる湾曲面によって構成されている。
【００３４】
このように、握持部は、両ハンドルに分割して設けられ、持ち運びする際に一体化されるような構成であっても良い。もちろん、この実施形態においても、各握持部３０，３１は、ハンドルに対して着脱可能に構成されていても良い。
【００３５】
図１６〜図２０は、本発明の第４の実施形態を示す図であり、図１６は、釣り用容器の全体構成を示す斜視図、図１７は、一対のハンドルを合わせた状態を示す釣り用容器の斜視図、図１８は、一対のハンドル部分の軸方向に沿った断面図、図１９は、両ハンドルの嵌合前の状態を示す握持部の断面図、そして、図２０は、両ハンドルの嵌合状態を示す握持部の断面図である。
【００３６】
本実施形態における容器本体２に設けられた一対のハンドル４３ａ，４３ｂは、布、ナイロン等の合成繊維の織布を筒状に縫着し、これを扁平につぶしてベルト状に構成されている。これら一対のハンドルの内、一方のハンドル４３ａには、握持部５０が設けられている。この場合、握持部５０は、ゴム系、合成樹脂系、柔軟性を有する材料によって形成されており、その下面側は、上記した実施形態と同様、周方向に凸状の湾曲面５０ａを備え、握持したときに手のひらが当たっても痛くないように形成されている。また、握持部５０には、図１８乃至図２０に示すように、一方のハンドル４３ａを挿通させるように扁平状の挿通孔５０ｂが形成されると共に、その挿通孔５０ｂの上方に、長手方向に延出し、他方のハンドル４３ｂを嵌合させるための凹部５０ｃが形成されている。そして、この凹部５０ｃは、この凹部の幅より狭く、軸方向に延出する開口５０ｄによって、握持部上面側に開口している。
【００３７】
握持部５０とハンドル４３ａの取り付けは、図に示すように、握持部５０に挿通孔５０ｂを形成し、ここにベルト状に形成されたハンドル４３ａを挿通させて止着する以外にも、例えば、固定が確実となるように、ベルト状のハンドル４３ａに対して握持部５０を一体的に射出成形したり、接着剤等によって固定することが好ましい。
【００３８】
また、他方のハンドル４３ｂには、前記凹部５０ｃに嵌合（収容）されるように、略円柱形状を成した芯材５５が装着されている。この場合、芯材５５は、軽量で硬質な樹脂、木材等によって形成されており、筒状に形成されたハンドル４３ｂの内部に収容されて、両端部４５ａ，４５ｂを縫着することにより、軸方向に移動しないように位置決めされている。
【００３９】
このような構成においても、ハンドル４３ｂの芯材５５が装着されている領域を開口５０ｄに当て付け、押圧することで、握持部の凹部５０ｃの開口５０ｄを押し広げ、ハンドル４３ｂを凹部５０ｃ内に嵌合させて、両ハンドルを一体化することが可能となる。
【００４０】
このように、本発明は、ハンドル部分を各種繊維のような柔軟性のある材料で形成しても良く、また、握持部については、そのような柔軟性のあるハンドルに対して止着されたものであっても良い。もちろん、この実施形態においても、両ハンドルそれぞれに、一体化される握持部を設けたり、或いは、握持部をハンドルに対して着脱可能に構成（着脱可能な握持部材として構成）しても良い。
【図面の簡単な説明】
【００４１】
【図１】本発明の第１の実施形態を示す図であり、釣り用容器の全体構成を示す斜視図。
【図２】一対のハンドルを合わせた状態を示す釣り用容器の斜視図。
【図３】握持部の中央部分における釣り用容器の断面図。
【図４】握持部の構成を示す斜視図。
【図５】握持部の拡大断面図。
【図６】握持部の第１変形例を示す断面図。
【図７】握持部の第２変形例を示す断面図。
【図８】握持部の第３変形例を示す断面図。
【図９】本発明の第２の実施形態を示す図であり、釣り用容器の全体構成を示す斜視図。
【図１０】一対のハンドルを合わせた状態を示す釣り用容器の斜視図。
【図１１】握持部材を装着した際の中央部分における釣り用容器の断面図。
【図１２】握持部材の構成を示す斜視図。
【図１３】握持部材の拡大断面図。
【図１４】本発明の第３の実施形態を示す図であり、握持部の構成を示す断面図。
【図１５】握持部の変形例を示す断面図。
【図１６】本発明の第４の実施形態を示す図であり、釣り用容器の全体構成を示す斜視図。
【図１７】一対のハンドルを合わせた状態を示す釣り用容器の斜視図。
【図１８】一対のハンドル部分の軸方向に沿った断面図。
【図１９】両ハンドルの嵌合前の状態を示す握持部の断面図。
【図２０】両ハンドルの嵌合状態を示す握持部の断面図。
【符号の説明】
【００４２】
１  釣り用容器
３  ハンドル
３ａ  縦片
３ｂ  横片
１０  握持部
１０ａ  湾曲面
２０  握持部材
３０，３１  握持部
４３ａ，４３ｂ  ハンドル
５０  握持部
【図１】
2004305208.tif 000003
【図２】
2004305208.tif 000004
【図３】
2004305208.tif 000005
【図４】
2004305208.tif 000006
【図５】
2004305208.tif 000007
【図６】
2004305208.tif 000008
【図７】
2004305208.tif 000009
【図８】
2004305208.tif 000010
【図９】
2004305208.tif 000011
【図１０】
2004305208.tif 000012
【図１１】
2004305208.tif 000013
【図１２】
2004305208.tif 000014
【図１３】
2004305208.tif 000015
【図１４】
2004305208.tif 000016
【図１５】
2004305208.tif 000017
【図１６】
2004305208.tif 000018
【図１７】
2004305208.tif 000019
【図１８】
2004305208.tif 000020
【図１９】
2004305208.tif 000021
【図２０】
2004305208.tif 000022